(57)【特許請求の範囲】
【請求項１】
伸縮性を有する合成繊維糸が、複数本並列配置され、かつ、隣り合う前記合成繊維糸どうしが溶着している溶着部と、隣り合う前記合成繊維糸どうしが溶着していない非溶着部とが、それら合成繊維糸の長手方向に沿って、交互に形成されていることを特徴とする伸縮性テープ体。
【請求項２】
前記非溶着部の長さが、前記溶着部の長さよりも、長くなるように交互に形成されていることを特徴とする請求項１に記載の伸縮性テープ体。
【請求項３】
請求項１または２に記載の伸縮性テープ体を用いた、紙おむつ、下着その他の衣類であって、
その衣類は、脚口部分、ウエスト部分、袖口部分あるいはネック部分等の伸縮部分を備え、
前記伸縮性テープ体は、前記伸縮部分の縁部に沿って、配備されていることを特徴とする衣類。
【発明の詳細な説明】
【０００１】
【発明の属する技術分野】
この発明は、伸縮性テープ体、および、その伸縮性テープ体を用いた衣類に関するものである。
【０００２】
【従来の技術および発明が解決しようとする課題】
従来、例えば、衣類としてのパンツ型紙おむつが備える伸縮部分である脚口部分およびウエスト部分には、その開口縁部に沿って、ゴム糸が取り付けられていた。そして、その伸縮部分に、前記紙おむつを身に着ける人の脚または腰が通されると、その脚や腰によって、前記伸縮部分のゴム糸が伸び、その結果、その伸縮部分が脚や腰にフィットした。ところが、このゴム糸は、単糸からなるので、伸びたゴム糸が、その紙おむつを身に着けた人の脚や腰の肌に食い込み易く、このため、その身に着けた人に圧迫感を与えた。しかも、このゴム糸は、裂け目があると容易に切れてしまうので、伸縮部分の伸縮性が損なわれてしまうというおそれがあった。ここで、ゴム糸を切れにくくする方法として、例えば、ゴム糸の幅方向および厚み方向を太くして切れにくくするという方法が考えられるが、ゴム糸が太くなることにより、衣類の伸縮部分が嵩張るという問題に加え、締め付け力が増して、圧迫感をさらに与えるという問題が発生する。
【０００３】
この発明は、上記した従来の問題点を解決するためになされたものであり、丈夫で、伸縮性に優れた伸縮性テープ体を提供することにある。
【０００４】
また、この発明の他の目的は、圧迫感を抑え、かつ、嵩張りを抑えた伸縮部分を備える、伸縮性テープ体を用いた衣類を提供することにある。
【０００５】
【課題を解決するための手段】
この発明に係る伸縮性テープ体は、前記目的を達成するために、次の構成からなる。すなわち、
請求項１に記載の発明に係る伸縮性テープ体は、伸縮性を有する合成繊維糸が、複数本並列配置され、かつ、隣り合う前記合成繊維糸どうしが溶着している溶着部と、隣り合う前記合成繊維糸どうしが溶着していない非溶着部とが、それら合成繊維糸の長手方向に沿って、交互に形成されている。これにより、溶着部と非溶着部とが、合成繊維糸の長手方向に沿って、交互に形成、すなわち、非溶着部が、合成繊維糸の長手方向に沿って、断続的に形成されることになる。そして、伸縮性テープ体の溶着部においては、合成繊維糸どうしが溶着されて変質しているため、伸縮性がある程度損なわれているが、非溶着部においては、合成繊維糸が有する伸縮性が損なわれない。また、伸縮性テープ体に引っ張り荷重がかかることによって、伸縮性テープ体の非溶着部を形成する複数本の合成繊維糸が伸びるが、それら複数本の合成繊維糸は、非溶着部においても並列配置されているため、前記引っ張り荷重は、非溶着部を形成する各合成繊維糸に、ほぼ均等に分散される。したがって、合成繊維糸一本にかかる引っ張り力が小さくなるので、この伸縮性テープ体は、切れにくくなる。
【０００６】
また、請求項２に記載の発明に係る伸縮性テープ体のように、前記非溶着部の長さが、前記溶着部の長さよりも、長くなるように交互に形成されているのが望ましい。これにより、伸縮性テープ体には、伸縮性がある程度損なわれた溶着部よりも、合成繊維糸が有する伸縮性が損なわれない非溶着部が、多く、しかも、交互に形成されるので、伸縮性に優れる。
【０００７】
また、請求項３に記載の発明に係る衣類は、請求項１または２に記載の伸縮性テープ体を用いた、紙おむつ、下着その他の衣類である。そして、その衣類は、脚口部分、ウエスト部分、袖口部分あるいはネック部分等の伸縮部分を備え、前記伸縮性テープ体は、前記伸縮部分の縁部に沿って、配備される。これによれば、合成繊維糸の、並列配置する本数や太さを変えたり、合成繊維糸自体を、伸縮性の異なる他の合成繊維糸に換えたりすることにより、この伸縮性テープ体の伸縮性を容易に調節することが可能である。そして、そのように伸縮性が適宜に調節された伸縮性テープ体を、紙おむつ、下着その他の衣類が備える、脚口部分、ウエスト部分、袖口部分あるいはネック部分等の伸縮部分の縁部に沿って、取り付けたり、編んだり、織ったりして配備することにより、前記伸縮部分には、確実に伸縮する部分である非溶着部が、前記縁部に沿って、断続的に形成される。これによって、その衣類を身に着ける人への圧迫感が抑えられた、程よくフィットさせることができる伸縮部分が形成される。また、伸縮性テープ体が、前記衣類の伸縮部分に、取り付けたり、編んだり、織ったりして配備されても、その伸縮性テープ体は、テープ状になっているので、その伸縮部分が嵩張らず、しかも、衣類を身に付けた人の肌に食い込みにくくなる。
【０００８】
【発明の実施の形態】
以下、この発明に係る伸縮性テープ体、および、その伸縮性テープ体を用いた衣類の一実施の形態を図面に基づいて説明する。
【０００９】
図中符号１は、衣類としてのパンツ型紙おむつである。符号２は、この衣類２に用いられる、伸縮性テープ体であって、例えば、太さが１５６デシテックスのポリウレタン合成繊維のマルチフィラメントからなる、伸縮性を有する合成繊維糸３、３が、複数本（図示実施の形態においては、４本）並列配置されている。そして、この伸縮性テープ体２には、それら合成繊維糸３、３の長手方向に沿って、溶着部４と、非溶着部５とが交互に形成されている。勿論、合成繊維糸３の太さは、上記した数値に限定されないが、好ましくは、４４〜７８０デシテックスの範囲内の太さがよい。
【００１０】
溶着部４は、熱を与えるとともに圧力をかけることによって、各合成繊維糸３、３が潰されるとともに、隣り合う合成繊維糸３、３どうしが溶着された部分である。また、この溶着部４においては、合成繊維糸３、３どうしが溶着されて変質しているため、合成繊維糸３が有する伸縮性がある程度損なわれている。
【００１１】
非溶着部５は、隣り合う合成繊維糸３、３どうしが溶着していない部分であって、その長さが、前記溶着部４の長さよりも、長く形成されている。また、非溶着部においては、合成繊維糸３が有する伸縮性が損なわれない。
【００１２】
衣類１としてのパンツ型紙おむつは、脚、腰等の人体が通される開口を形成する伸縮部分（ギャザー形成部分）である脚口部分（股口部分と称される場合もある）６、６およびウエスト部分７を備えている。そして、これら脚口部分６、６およびウエスト部分７の縁部Ｗ、Ｗ、つまり、周縁部に沿って、伸縮性を適宜に調節した伸縮性テープ体２、２が、前記開口を囲うように（おむつ地１ａ内を通すように、かつ、そのおむつ地１ａに接着により取り付けるようにして）、配備されている。これによって、開口伸縮部分である脚口部分６およびウエスト部分７には、確実に伸縮する部分である非溶着部５、５が、それらの縁部（周縁部）Ｗ、Ｗに沿って、断続的に形成される。なお、図示実施の形態においては、各脚口部分６、６には、伸縮性テープ体２がそれぞれ一本づつ配備され、ウエスト部分７には、伸縮性テープ体２が二本配備されているが、これらの本数に限定されない。
【００１３】
次に、伸縮性テープ体２を製造する、テープ体製造装置８について、図４および５に基づいて説明する。このテープ体製造装置８は、合成繊維糸３が巻かれた、例えば、４個の給糸管９、９と、給糸管９、９から給糸される合成繊維糸３、３を並列配置させた状態で加熱および加圧して、溶着部４および非溶着部５を交互に形成する、加熱加圧手段１０とを備える。また、このテープ体製造装置８は、加熱加圧手段から送られる、溶着部４および非溶着部５が交互に形成された伸縮性テープ体２を巻き取るための巻き取りローラ１１を備えている。加熱加圧手段１０は、電動機１０ａの駆動により回転駆動し、かつ、ニクロム線等の加熱体１０ｂにより加熱される駆動側ギア（平歯車）１２と、錘１０ｃの重みによる荷重によって、駆動側ギア１２方向に付勢され、その駆動側ギア１２に対して、ほぼ一定の圧力で噛み合う従動側ギア（平歯車）１３とからなる。そして、この実施の形態において、テープ体製造装置８は、例えば、その駆動側ギア１２の表面温度が、ほぼ２１０度に設定されるとともに、伸縮性テープ体２の巻き取り速度が、１５メートル／分に設定されている。勿論、伸縮性テープ体の巻き取り速度を速くすれば、駆動側ギア１２の表面温度は高く設定される必要がある。例えば、前記巻き取り速度が、３０メートル／分の場合には、前記表面温度は、ほぼ２３０度に設定され、また、前記巻き取り速度が、５０メートル／分の場合には、前記表面温度は、ほぼ２４０度に設定される。
【００１４】
次に、以上の構成からなるテープ体製造装置８を用いた、伸縮性テープ体２の製造について説明する。テープ体製造装置８を作動させると、４個の給糸管９、９から、ポリウレタン合成繊維のマルチフィラメントからなる、４本の合成繊維糸３、３が給糸されるが、これらの合成繊維糸３、３は、加熱加圧手段１０に送られる途中で、整列孔８ａ、および、この整列孔８ａの前後に配置されるローラ８ｂ、８ｂを介して、並列配置される。そして、これらの合成繊維糸３、３は、並列配置された状態で、加熱加圧手段１０の駆動側ギア１２および従動側ギア１３間に通される。そして、合成繊維糸３、３には、駆動側ギア１２の歯１２ａの歯面と、従動側ギア１３の歯１３ａの歯面とが噛み合う接触部で、圧力がかかり、駆動側ギア１２の熱により溶融して、隣り合う合成繊維糸３どうしが溶着する。そして、この溶着は、駆動側ギア１２の歯１２ａの歯面と、従動側ギア１３の歯１３ａの歯面とが噛み合ってから、離れるまでの間で行なわれて、隣り合う合成繊維糸３、３どうしが溶着された、溶着部４が形成される。また、合成繊維糸３、３が、加熱加圧手段１０の駆動側ギア１２および従動側ギア１３間を通るとき、前記接触部を通過せず、合成繊維糸３、３には、圧力がほとんどかからない部分が、溶着部４、４間に形成される。これが、伸縮性テープ体２の非溶着部５となり、したがって、この非溶着部５と溶着部４とが交互に形成されることになる。そして、溶着部４と非溶着部５とが交互に形成された伸縮性テープ体２は、送りローラ８ｃ、８ｃによって、巻き取りローラ１１に送られ、その巻き取りローラ１１に巻き取られる。なお、溶着部４と非溶着部５との長さの比は、駆動側ギア１２および従動側ギア１３の設計条件を変えることにより調節することができる。
【００１５】
この第一の実施の形態に示す伸縮性テープ体２によれば、この伸縮性テープ体２に引っ張り荷重がかかることによって、伸縮性テープ体２の非溶着部５を形成する４本の合成繊維糸３、３が伸びるが、それら４本の合成繊維糸３、３は、非溶着部５において並列配置されているため、前記引っ張り荷重は、非溶着部５を形成する各合成繊維糸３、３に、ほぼ均等に分散される。したがって、各合成繊維糸３にかかる引っ張り力が小さくなって、切れにくくなる。しかも、溶着部４と非溶着部５とが、合成繊維糸３の長手方向に沿って、交互に形成、すなわち、伸縮性を有する非溶着部５が、合成繊維糸３の長手方向に沿って、断続的に形成されることになる。よって、丈夫で、伸縮性に優れた伸縮性テープ体２にすることができる。また、伸縮性テープ体２には、伸縮性がある程度損なわれた溶着部４よりも、合成繊維糸３が有する伸縮性が損なわれない非溶着部５が、多く、しかも、交互に形成されるので、より一層優れた伸縮性を有する、伸縮性テープ体にすることができる。
【００１６】
また、伸縮性テープ体２を用いた衣類１によれば、衣類としてのパンツ型紙おむつが備える、伸縮部分である脚口部分６およびウエスト部分７には、それら縁部（周縁部）Ｗ、Ｗに沿って、伸縮性テープ体２、２がそれぞれ配備されているので、確実に伸縮する部分である非溶着部５が、それら縁部（周縁部）Ｗ、Ｗに沿って、断続的に形成されている。したがって、衣類１としてのパンツ型紙おむつには、その衣類１を身に着ける人への圧迫感が抑えられた、程よくフィットさせることができる伸縮部分が形成される。また、衣類１の伸縮部分である脚口部分６およびウエスト部分７に取り付けられた伸縮性テープ体２は、テープ状になっているので、その伸縮部分が嵩張らず、しかも、衣類１を身に付けた人の肌に食い込みにくくなる。したがって、圧迫感を抑え、かつ、嵩張りを抑えた脚口部分６およびウエスト部分７を備えるパンツ型紙おむつを提供することができる。
【００１７】
なお、本発明に係る伸縮性テープ体は、上述した実施の形態に限定されるわけではなく、その他種々の変更が可能である。例えば、合成繊維糸３は、ポリウレタン合成繊維のマルチフィラメントからなるが、モノフィラメントであってもよく、また、ナイロン、アクリルあるいはテトロン等の伸縮性の異なる他の合成繊維糸であってもよい。また、並列配置する本数を、２本、３本あるいは５本以上に変えてもよく、その太さも適宜に変えてもよい。このように、並列配置する本数や太さを変えたり、合成繊維糸３自体を換えたりすることによって、この伸縮性テープ体２の伸縮性を容易に調節することが可能である。
【００１８】
また、非溶着部５は、その長さが、溶着部４の長さよりも、長く形成されているが、溶着部４の長さよりも、短く形成されていてもよく、また、非溶着部５と溶着部４とが同じ長さであってもよい。
【００１９】
また、衣類１は、パンツ型紙おむつ以外の、例えば、テープ型紙おむつ、使い捨てパンツ、下着、セーター、ズボン、スカート、ドレス、ベストあるいはシャツ等その他の衣類であってもよい。また、その衣類１の伸縮部分は、脚口部分６、ウエスト部分７以外の、袖口部分あるいはネック部分等の伸縮部分であってよい。また、図示実施の形態においては、伸縮部分は、脚や腰が通される開口を形成する伸縮部分である脚口部分６、ウエスト部分７であるが、その伸縮部分は、例えば、腰（例えば、脇）の一部を締め付けるような、ウエスト部分の一部（例えば、脇部）に配置された、開口を形成しない伸縮部分であってもよい。また、伸縮性テープ体２は、袖口部分あるいはネック部分の縁部（周縁部）に沿って、接着により取り付けたり、編んだり、織ったりして配備してもよい。
【００２０】
また、伸縮性テープ体２は、ギアを利用したテープ体製造装置８を用いて製造したが、合成繊維糸３の長手方向に沿って、溶着部４と、非溶着部５とが交互に形成することができるのであれば、ギア以外の構成要素を利用した装置を用いて製造してもよい。
【００２１】
【発明の効果】
請求項１に記載された伸縮性テープ体によれば、合成繊維糸が有する伸縮性が損なわれない非溶着部を、合成繊維糸の長手方向に沿って、断続的に形成することにより、丈夫で、伸縮性に優れた伸縮性テープ体にすることができる。
【００２２】
また、請求項２に記載された伸縮性テープ体によれば、加えて、より一層優れた伸縮性を有する、伸縮性テープ体にすることができる。
【００２３】
また、請求項３に記載された衣類によれば、圧迫感を抑え、かつ、嵩張りを抑えた伸縮部分を備える衣類を提供することができる。
【図面の簡単な説明】
【図１】この発明に係る第一の実施の形態の、伸縮性テープ体を用いた衣類の正面図である。
【図２】この発明に係る伸縮性テープ体の正面図である。
【図３】同じく側面図である。
【図４】この発明に係る伸縮性テープ体を製造する装置の模式図である。
【図５】図４におけるＡ部拡大図である。
【符号の説明】
１  衣類
２  伸縮性テープ体
３  合成繊維糸
４  溶着部
５  非溶着部
６  脚口部分（伸縮部分）
７  ウエスト部分（伸縮部分）
Ｗ  縁部
【図１】
0003769667.tif 000002
【図２】
0003769667.tif 000003
【図３】
0003769667.tif 000004
【図４】
0003769667.tif 000005
【図５】
0003769667.tif 000006